(57)【要約】【課題】建家の軒先から垂れ下がる氷柱を、少ない労力で安全に切除できる氷柱切断具を提供すること。【解決手段】伸縮自在な柄の先端部に平板状の切断板５を取着して成る雪切り具において、  前記切断板５の縦縁に鋸歯６を配設するとともに、上端部の横縁に抵抗軽減部（傾斜縁７や陥没縁１４）を配設する。  また、前記鋸歯６が、切断板５の縦縁に着脱自在に接合される。【選択図】図１
2007198042.tif 000002
【特許請求の範囲】
【請求項１】
伸縮自在な柄の先端部に平板状の切断板を取着して成る雪切り具において、
前記切断板の縦縁に鋸歯を配設するとともに、上端部の横縁に抵抗軽減部を配設して成る氷柱切断具。
【請求項２】
前記鋸歯が切断板の縦縁に着脱自在に接合されて成る請求項１記載の氷柱切断具。
【発明の詳細な説明】
【技術分野】
【０００１】
本発明は、一般住宅や小屋などの建家の軒先から垂れ下がる氷柱を切り落とす氷柱切断具に関する。
【背景技術】
【０００２】
建家の軒先に垂れ下がる氷柱を叩き落としたり、屋根に積もった雪を掻き落とす除雪氷具が実用新案登録第３０８７３９９号（特許文献１）に提案されている。該特許文献１に開示された技術は、伸縮自在な第１のロッドに屈曲固定自在に第２のロッドが連接され、この第２のロッドに設けられたプレートの上端の叩き落とし部で氷柱を叩き落としたり、叩き落とし部の先端縁に形成した鋸歯状の部位で滑らないように突き刺して氷柱を叩き落とすものであるから、叩き落とされた氷柱は建家の外壁に向かって飛ばされ窓ガラスを破損したり不用意な損傷を与えるほか、叩き落とすために労力を要するものである。
これに対して、軒先から垂れ下がった氷柱の根元を軒先と平行な面で切断すれば、切断された氷柱はその直下に落下するから建家の外壁を損傷させることもなく、また、鋸歯の切断動作は上下動であるから、切氷に係わる部材の自重も切断に関与してその労力が軽減される。さらに、氷柱の根元は屋根上で凍結した氷板状となって軒先から湾曲状にオーバーハングして垂れ下がりその上面に多量の雪が載積されているから、氷柱の切断時には切断板に雪の抵抗も無視できず、鋸歯の上下動に伴う切断板の上端の雪への突き刺し抵抗を軽減させるように横縁を片流れ状に或いは陥没状に形成することも必要である。
【特許文献１】実用新案登録第３０８７３９９号
【発明の開示】
【発明が解決しようとする課題】
【０００３】
本発明は上記事情に鑑みて、建家の軒先から垂れ下がる氷柱を少ない労力で安全に切断できる氷柱切断具を提供するものである。
【課題を解決するための手段】
【０００４】
本発明の請求項１に記載した氷柱切断具は、伸縮自在な柄の先端部に平板状の切断板を取着して成る雪切り具において、
前記切断板の縦縁に鋸歯を配設するとともに、上端部の横縁に抵抗軽減部を配設して成る。
請求項２に記載した発明は、請求項１記載の氷柱切断具において、
前記鋸歯が切断板の縦縁に着脱自在に接合されて成る。
【発明の効果】
【０００５】
本発明の氷柱切断具によれば、鋸歯で軒先に平行な状態で氷柱を切断できるから、切断された氷柱は直下に落下して建家の外壁に損傷を与えることも作業者に危険を及ぼすこともなく、切断動作には氷柱切断具の自重も関与する上、切断板の上端部の横縁には抵抗軽減部が配設されるから切断労力も軽減される。切断板の縦縁に鋸歯が着脱自在に接合されたものでは、鋸歯が破損した場合の保全が簡易となり鋸歯の材質の選択ができる。両縦縁に大小の鋸歯を形成したものでは、氷柱の規模に対応して氷柱を切断除去できる。
【発明を実施するための最良の形態】
【０００６】
伸縮自在な柄は、アルミ製のパイプや該パイプに合成樹脂の被膜をコーティングしたものであり、切断板は、直接その縦縁に鋸歯を形成するものでは鉄、ステンレス、超硬合金を鋸歯部に配設したもので提供され、鋸歯を着脱自在に接合する場合では、ポリカーボネートなどの合成樹脂板が選択される。抵抗軽減部としては、鋸歯が何れか一側の縦縁にのみ形成される場合は、他側に向けて下り勾配（片流れ状）の傾斜縁であったり、鋸歯が両縦縁に形成されたものでは、両鋸歯の中間部を凹状に陥没させた陥没縁などである。鋸歯を着脱自在に接合する縦縁とは、鋸歯のないものは勿論のこと、予め所要の鋸歯が一体に形成されたものも含むものである。
【実施例】
【０００７】
本発明を実施例により説明すると、図１に示す氷柱切断具Ａは、アルミ製の大径のベースポール１にボルト状のネジストッパー２で伸縮位置が固定されるアルミ製の伸縮ポール３が内嵌されて柄が形成され、伸縮ポール３の先端部に縦長平板状の取付け板４が接合され、この取付け板４に平板状の切断板５が両者の表面が面一になるように接合され、切断板５の一側（左方）の縦縁に鋸歯６が形成され、その上端部の横縁を鋸歯６の一側から他側（右方）に向けて下り勾配の抵抗軽減部としての傾斜縁７として成る。
【０００８】
図２に示した氷柱切断具Ｂは、切断板５に対して鋸歯６を形成した鋸歯体８が図３に示すように、平面視横向きのＵ溝９に縦縁を嵌入した状態でビス１０で着脱自在に接合されて成る。この場合に鋸歯体８は鋸歯６から後方の表裏面は背面抵抗を少なくするために平面視末細り状のテーパ面１１としている。
このほか、鋸歯体８の切断板５に対する接合形態として図４に示すように、相決り状のものも提供される。
図５に示した切断板５は、一側の縦縁にピッチの小なる小鋸歯１２が形成され、他側の縦縁にピッチの大なる大鋸歯１３が形成され、両者間の上端部の横縁には抵抗軽減部として凹状に陥没させた陥没縁１４を形成して成り、この場合も小鋸歯１２、大鋸歯１３を直接切断板５に形成するのに代えて、仮想線で示すように両縦縁に小鋸歯体１５、大鋸歯体１６が着脱自在に接合される。
【０００９】
氷柱切断具Ａ乃至Ｂは、図６に示すように、建家１７の軒先１８に垂れ下がった氷柱１９に対して軒先と平行になるように切断板５の平板面を位置取りし、ベースポール１に対して伸縮ポール３を適宜に伸縮してネジストッパー２で位置決めし、ベースポール１を上下動させて鋸歯６或いは鋸歯体８で氷柱１９を切断し、場合によっては氷柱１９を形成する氷板の上面に載積された雪２０をも切断して軒先１８の直下に落下させる。
この切断作業では切断板５の横縁に形成される抵抗軽減部としての傾斜縁７や陥没縁１４によって切断進行方向の背面抵抗が軽減されるから労力が軽減される。
鋸歯体８を切断板５に着脱自在に接合する場合には、図３、図４に示すように切断板５の一側の単なる縦縁に接合するものから、図７に示すように鋸歯６を形成した一側の縦縁に歯形の異なる鋸歯６aを配設したものも対象とされる。
【産業上の利用可能性】
【００１０】
本発明の氷柱切断具では、伸縮自在な柄の先端部に平板状の切断板５が取着され、切断板５の縦縁に一体の鋸歯６を設けたり、着脱自在に鋸歯６aを設けるものであるから、アルミ製や合成樹脂製のベースポール１や鉄やステンレス製の切断板５が提供される。
【図面の簡単な説明】
【００１１】
【図１】本発明に係る氷柱切断具Ａの柄の中間部を省略した正面図。
【図２】本発明の氷柱切断具Ｂの柄の中間部を省略した正面図。
【図３】切断板５に対する鋸歯体８の接合形態を示す拡大横断面図。
【図４】切断板５に対する鋸歯体８の接合形態を示す拡大横断面図。
【図５】切断板５の両縦縁に鋸歯（小鋸歯１２、大鋸歯１３）を形成した状態の説明用正面図。
【図６】氷柱切断具Ａ乃至Ｂの使用状態の説明図。
【図７】他の実施態様における切断板５の正面図。
【符号の説明】
【００１２】
１：ベースポール
２：ネジストッパー
３：伸縮ポール
４：取付け板
５：切断板
６：鋸歯
７：傾斜縁
８：鋸歯体
９：Ｕ溝
１０：ビス
１１：テーパ面
１２：小鋸歯
１３：大鋸歯
１４：陥没縁
１５：小鋸歯体
１６：大鋸歯体
１７：建家
１８：軒先
１９：氷柱
２０：雪
Ａ乃至Ｂ：氷柱切断具
【図１】
2007198042.tif 000003
【図２】
2007198042.tif 000004
【図３】
2007198042.tif 000005
【図４】
2007198042.tif 000006
【図５】
2007198042.tif 000007
【図６】
2007198042.tif 000008
【図７】
2007198042.tif 000009